(57)【要約】【課題】電子設備に応用可能なシャーシシステムを有するケーブルマネージメントデバイス、及び、それを用いたスライドレールアセンブリを提供する。【解決手段】スライドレールアセンブリは、第一レール２８、第二レール３４、及び、ケーブルマネージメントデバイス３７を有する。ケーブルマネージメントデバイス３７は、第一アームセット、及び、第二アームセットを有する。第一アームセットは、可動する２個のアーム３８ａ、３８ｂを有する。第二アームセットは、可動する２個のアーム３８ｃ、３８ｄを有する。第二アームセット３８ｃ、３８ｄは第一アームセット３８ａ、３８ｂに接続する。ケーブルマネージメントデバイス３７の一部位は、第一レール２８に接続する。第二レール３４が第一位置から第二位置Ｐ２へと移動すると、ケーブルマネージメントデバイス３７は、第一状態から第二状態へと連動する。【選択図】  図２
2018026523.tif 000002
【特許請求の範囲】
【請求項１】
ケーブルマネージメントデバイスであって、
相対して可動する２個のアームを有する第一アームセットと、
前記第一アームセットに接続し、相対して可動する２個のアームを有する第二アームセットと、
を備えることを特徴とするケーブルマネージメントデバイス。
【請求項２】
前記第一アームセットの前記２個のアームのその内の一つの端部は、前記第二アームセットの前記２個のアームのその内の一つの端部に枢接されることを特徴とする請求項１に記載のケーブルマネージメントデバイス。
【請求項３】
前記第一アームセットの前記２個のアームは、相互に枢接され、
前記第二アームセットの前記２個のアームは、相互に枢接されることを特徴とする請求項１に記載のケーブルマネージメントデバイス。
【請求項４】
前記ケーブルマネージメントデバイスは、アームをさらに有し、前記第二アームセットに対して枢接されることを特徴とする請求項１に記載のケーブルマネージメントデバイス。
【請求項５】
前記ケーブルマネージメントデバイスは、前記第一アームセットと前記第二アームセットとの間で支持するサポーティングパーツをさらに有し、
前記第二アームセットの前記２個のアームのその内の一つは、前記サポーティングパーツの両端の間に枢接されることを特徴とする請求項１に記載のケーブルマネージメントデバイス。
【請求項６】
スライドレールアセンブリは、第一レール、第二レール、及び、ケーブルマネージメントデバイスを有し、
前記第二レールは、前記第一レールに対して移動し、
前記ケーブルマネージメントデバイスは、第一アームセット、及び、第二アームセットを有し、
前記第一アームセットは、相互に枢接される２個のアームを有し、
前記第二アームセットは、相互に枢接される２個のアームを有し、
前記第二アームセットのその内の一つのアームは、前記第一アームセットのその内の一つのアームに枢接され、
前記第一アームセットの内のもう一つのアームは、前記第一レールに接続し、
前記ケーブルマネージメントデバイスは、前記第一レールに相対した前記第二レールが第一位置から第二位置へと移動するのに対応して、第一状態から第二状態へと連動することを特徴とするスライドレールアセンブリ。
【請求項７】
前記ケーブルマネージメントデバイスは、前記第二アームセットの内のもう一つのアームに枢接されるアームをさらに有し、
前記アームは、前記第一レールに相対した前記第二レールが前記第一位置から前記第二位置へと移動するのに対応して連動することを特徴とする請求項６に記載のスライドレールアセンブリ。
【請求項８】
前記スライドレールアセンブリは、前記第一レールと前記第二レールとの間に移動するように取り付けられる第三レールをさらに有し、
前記ケーブルマネージメントデバイスは、前記第一アームセットと前記第二アームセットとの間で支持するサポーティングパーツをさらに有し、
前記サポーティングパーツは、前記第三レールの前記第一レールに相対した移動に対応し連動することを特徴とする請求項７に記載のスライドレールアセンブリ。
【請求項９】
前記スライドレールアセンブリは、前記第三レールに取り付けられ、前記第二レールの一部位を固定可能なレール固定パーツをさらに有し
前記第三レールと固定された前記第二レールは、前記第一位置から前記第二位置の方向へと移動するとき前記第三レールを予定位置まで同期して連動させ、
前記第三レールが前記予定位置まで移動すると、前記第一レールが有する嵌着解除部材は、前記レール固定パーツの前記第二レールの前記一部位に対する固定を解除することを特徴とする請求項８に記載のスライドレールアセンブリ。
【請求項１０】
搭載物のシャーシへの取り付けに適用されるスライドレールアセンブリであって、
前記シャーシは、第一柱、及び、第二柱を有し、
前記スライドレールアセンブリは、第一レール、第二レール、第三レール、及び、ケーブルマネージメントデバイスを有し、
前記第一レールは、第一ブラケットと第二ブラケットとにより前記第一柱と前記第二柱に取り付けられ、
前記第二レールは、前記第一レールに相対して移動し、前記搭載物が取り付けられ、
前記第三レールは、前記第一レールと前記第二レールとの間に移動するように取り付けられ、
前記ケーブルマネージメントデバイスは、第一アームセット、及び、第二アームセットを有し、
前記第一アームセットは、相互に枢接される２個のアームを有し、
前記第二アームセットは、相互に枢接される２個のアームを有し、前記第二アームセットのその内の一つのアームは、前記第一アームセットのその内の一つのアームに枢接され、
前記第一アームセットの内のもう一つのアームは、前記第一レールと前記シャーシの内の一つに接続し、
前記ケーブルマネージメントデバイスは、第一レールに相対した第二レールが第一位置から第二位置へと移動するのに対応して、第一状態から第二状態へと連動することを特徴とするスライドレールアセンブリ。
【発明の詳細な説明】
【技術分野】
【０００１】
本発明は、ケーブルマネージメントデバイス、及び、それを用いたスライドレールアセンブリに関する。
【背景技術】
【０００２】
一般的に、シャーシ式システムに搭載される搭載物は、一対のスライドレールアセンブリにより、シャーシに取り付けられる。
搭載物は、サーバー、パワーサプライ等である。
搭載物は、線材或いはケーブル（ｃａｂｌｅｓ）を有する。
搭載物の線材を適切に収納するため、一種のケーブルマネージメントアセンブリ（ｃａｂｌｅ  ｍａｎａｇｅｍｅｎｔ  ａｓｓｅｍｂｌｙ）であるケーブルマネージメントデバイスが開発された。
【０００３】
特許文献１に開示されたケーブルマネージメントアームアセンブリ（ケーブルマネージメントデバイス）は、一対のスライドレールアセンブリに適用される。
特許文献１の図１と図２に示す通り、各スライドレールアセンブリは、外レールＡ、中レールＢ及び内レールＣを有する。
ケーブルマネージメントアームアセンブリは、前アーム１１と後アーム１２を有し、枢接パーツ１３によりサポーティングレール２に接続し、しかもサポーティングレール２上で可動する。
前アーム１１と後アーム１２上には、複数のケーブルマネージメント保持器１５を設置する。
さらに、特許文献１の図１５に示す通り、ケーブルマネージメントアームアセンブリの後アーム１２は、コネクター５により、その内の一つのスライドレールアセンブリの外レールＡに接続される。
しかも、ケーブルマネージメントアームアセンブリの前アーム１１は、挿入台７により、スライドレールアセンブリの内レールＣに接続される。
一方、サポーティングレール２の一端は、第一スライド移動パーツ３により、その内の一つのスライドレールアセンブリの中レールＢに接続される。
【０００４】
特許文献２の図１に開示された管理アセンブリ（ケーブルマネージメントデバイス）では、スライドレールアセンブリ２４、２６によりデバイス３６が、シャーシ３１に取り付けられる。
各スライドレールアセンブリは、固定部３２及び可動部３４を有する。
デバイス３６は、可動部３４に取り付けられる。
管理アセンブリは、第一アーム５０、第二アーム６０及びクロス部材を有する。
第一アーム５０と第二アーム６０とはそれぞれ外端５２、６２を有し、スライドブロック４８により、クロス部材に可動するように嵌着し、しかも第一アーム５０と第二アーム６０とは、それぞれ内端５４、６４を有し、それぞれ第一アームフレーム５６と第二アームフレーム６６に接続する。
第一アームフレーム５６は、その内の一つのスライドレールアセンブリの可動部３４に接続し、しかも第二アームフレーム６６は、その内の一つのスライドレールアセンブリの固定部３２に接続する。
一方、クロス部材の両端は、それぞれ第一フレーム３８と第二フレーム４０により、スライドレールアセンブリ２４、２６の固定部３２で可動する。
特許文献２の図３、図４及び図５から分かるように、可動部３４とデバイス３６は、取込み位置から延伸位置へと可動し、第一アーム５０と第二アーム６０とは相対可動して展開する。
しかも、スライドブロック４８により、クロス部材上で可動する。
【０００５】
特許文献３に開示されたケーブルマネージメントデバイスは、アームアセンブリ１０、第一取り付けパーツ２０、第二取り付けパーツ３０及びサポーティングパーツ５０を有する。
アームアセンブリ１０は、後アーム１１及びコネクティングパーツ１４により後アーム１１に接続する前アーム１２を有する。
前アーム１２は、第一アームセクション１２１、第一アームセクション１２１に接続する第二アームセクション１２２を有する。
第一取り付けパーツ２０の接続片２２は、後アーム１１の一端に枢接され、しかも第一取り付けパーツ２０は、固定レール４１０に取り付けられる。
一方、第二取り付けパーツ３０は、第二アームセクション１２２の一端に枢接され、しかも第二取り付けパーツ３０は、内レール４３０に取り付けられる。
サポーティングパーツ５０は、スライドレール総合デバイス４００の２個の中レール４２０の後端に位置する。
【０００６】
上記特許文献によると、線材を収納するケーブルマネージメントデバイスは、２節のアームセットが枢接し、しかも２節のアームセットは、スライドレールアセンブリの可動レールの固定レールに相対した可動に従い相互に相対して展開する。
【先行技術文献】
【特許文献】
【０００７】
【特許文献１】米国特許第ＵＳ７５５４８１９Ｂ２号明細書
【特許文献２】米国特許第ＵＳ７４７２７９５Ｂ２号明細書
【特許文献３】米国特許第ＵＳ８３８７９３３Ｂ２号明細書
【発明の概要】
【発明が解決しようとする課題】
【０００８】
しかし、市場ニーズにより、スライドレールアセンブリの延伸長さ（或いはオープン長さ）の拡大が必要な時がある。すなわち、スライドレールアセンブリの可動レールの固定レールに相対した可動距離を長くする必要がある。このとき、上記先行技術のように、２節の或いは３節のアームセットを有するケーブルマネージメントデバイスでは展開長さに限界がある。
【課題を解決するための手段】
【０００９】
本発明の目的は、電子設備に応用可能なシャーシシステムを有するケーブルマネージメントデバイス、及び、それを用いたスライドレールアセンブリを提供することにある。
【００１０】
本発明の第一の態様によるケーブルマネージメントデバイスは、相対して可動する２個のアームを有する第一アームセットと、第一アームセットに接続し、相対して可動する２個のアームを有する第二アームセットとを備える。
【００１１】
好ましくは、第一アームセットは、第二アームセットに枢接される。
【００１２】
好ましくは、第一アームセットの２個のアームのその内の一つの端部は、第二アームセットの２個のアームのその内の一つの端部にして枢接される。
【００１３】
好ましくは、第一アームセットの２個のアームは、相互に枢接される。
【００１４】
好ましくは、第二アームセットの２個のアームは、相互に枢接される。
【００１５】
好ましくは、ケーブルマネージメントデバイスは、アームをさらに有し、第二アームセットに枢接される。
【００１６】
好ましくは、ケーブルマネージメントデバイスは、第一アームセットと第二アームセットとの間で支持するサポーティングパーツをさらに有する。
【００１７】
好ましくは、第二アームセットの２個のアームのその内の一つは、サポーティングパーツの両端の間に枢接される。
【００１８】
本発明の第二の態様によるスライドレールアセンブリは、第一レール、第二レール及びケーブルマネージメントデバイスを有する。
第二レールは、第一レールに相対して移動する。
ケーブルマネージメントデバイスは、第一アームセット、及び、第二アームセットを有する。
第一アームセットは、相互に枢接される２個のアームを有し、
第二アームセットは、相互に枢接される２個のアームを有する。
第二アームセットのその内の一つのアームは、第一アームセットのその内の一つのアームに枢接される。
第一アームセットの内のもう一つのアームは、第一レールに接続する。
ケーブルマネージメントデバイスは、第一レールに相対した第二レールが第一位置から第二位置へと移動するのに対応して、第一状態から第二状態へと連動する。
【００１９】
好ましくは、ケーブルマネージメントデバイスは、第二アームセットの内のもう一つのアームに枢接されるアームをさらに有し、そのアームは、第一レールに相対した第二レールが第一位置から第二位置へと移動するのに対応して連動する。
【００２０】
好ましくは、スライドレールアセンブリは、第一レールと第二レールとの間に移動するように取り付けられる第三レールをさらに有する。
ケーブルマネージメントデバイスは、第一アームセットと第二アームセットとの間で支持するサポーティングパーツをさらに有する。
サポーティングパーツは、第三レールの第一レールに相対した移動に対応し連動する。
【００２１】
好ましくは、第二アームセットの２個のアームのその内の一つは、サポーティングパーツの両端の間に枢接される。
【００２２】
好ましくは、スライドレールアセンブリは、第三レールに取り付けられ、第二レールの一部位を固定可能なレール固定パーツをさらに有し、第三レールに固定された第二レールは、第一位置から第二位置の方向へと移動するとき第三レールを予定位置まで同期して連動させる。
【００２３】
好ましくは、第一レールは、嵌着解除部材を有する。
第三レールが予定位置まで移動すると、嵌着解除部材は、固定パーツの第二レールの部位に対する固定を解除する。
【００２４】
本発明の第三の態様によるスライドレールアセンブリは、搭載物のシャーシへの取り付けに適用される。
シャーシは、第一柱、及び、第二柱を有し、スライドレールアセンブリは、第一レール、第二レール、第三レール、及び、ケーブルマネージメントデバイスを有する。
第一レールは、第一ブラケットと第二ブラケットにより、第一柱と第二柱に取り付けられる。
第二レールは、第一レールに相対して移動し、搭載物が取り付けられる。
第三レールは、第一レールと第二レールとの間に移動するように取り付けられる。
ケーブルマネージメントデバイスは第一アームセット及び第二アームセットを有する。
第一アームセットは、相互に枢接する２個のアームを有する。
第二アームセットは、相互に枢接する２個のアームを有し、第二アームセットのその内の一つのアームは、第一アームセットのその内の一つのアームに枢接される。
第一アームセットの内のもう一つのアームは、第一レールとシャーシの内の一つに接続する。
ケーブルマネージメントデバイスは、第一レールに相対した第二レールが第一位置から第二位置へと移動するのに対応して、第一状態から第二状態へと連動する。
【００２５】
好ましくは、第一アームセット、第二アームセット、及び、アームの相互間には、ケーブルマネージメント部材を有し、ケーブルマネージメント部材には、搭載物の線材を置く。
【図面の簡単な説明】
【００２６】
【図１】第一実施形態において搭載物が一対のスライドレールアセンブリによりシャーシに取り付けられた様子を示す模式図である。
【図２】第一実施形態においてケーブルマネージメントデバイスが搭載物とスライドレールアセンブリとの間に位置する様子を示す模式図である。
【図３】第一実施形態のケーブルマネージメントデバイスの模式図である。
【図４】第一実施形態のケーブルマネージメントデバイス、搭載物及びスライドレールアセンブリの分解模式図である。
【図５】第一実施形態のケーブルマネージメントデバイスのアームとサポーティングパーツとの分解模式図である。
【図６】図５のケーブルマネージメントデバイスのアームとサポーティングパーツの組合せ模式図である。
【図７】第一実施形態のスライドレールアセンブリの模式図である。
【図８】図７のＡ区域の拡大模式図である。
【図９】図７のＢ区域の拡大模式図である。
【図１０】第一実施形態のスライドレールアセンブリが取込み状態にある様子を示す模式図である。
【図１１】図１０のスライドレールアセンブリの第二レールと第三レールとが一方向へと移動する様子を示す模式図である。
【図１２】図１１のスライドレールアセンブリの第二レールと第三レールとの同期が予定位置で解除される様子を示す模式図である。
【図１３】第一実施形態の搭載物がスライドレールアセンブリによりシャーシに取り付けられ、ケーブルマネージメントデバイスが第一状態にある様子を示す模式図である。
【図１４】図１３のスライドレールアセンブリの第二レールと第三レールとが移動し、ケーブルマネージメントデバイスが第二状態を呈する様子を示す模式図であり。
【図１５】図１４のスライドレールアセンブリの第二レールが継続して一方向へと移動し、ケーブルマネージメントデバイスが第二状態を呈する様子を示す模式図である。
【図１６】第二実施形態のケーブルマネージメントデバイスの第一アームセットの第一アームがシャーシに接続する様子を示す模式図である。
【図１７】第三実施形態のケーブルマネージメントデバイスの第五アームがスライドレールアセンブリの第二レールに接続する様子を示す模式図である。
【発明を実施するための形態】
【００２７】
（第一実施形態）
図１に示す通り、シャーシシステムは、搭載物２０を有し、第一スライドレールアセンブリ２２と第二スライドレールアセンブリ２３とにより、シャーシ２４に取り付けられる。
搭載物２０は、サーバー及び／或いはパワーサプライ等を含む電子設備である。
シャーシ２４は、一対の第一柱２６ａと一対の第二柱２６ｂを有する。
各スライドレールアセンブリは、第一レール２８を有する。
第一レール２８の２個の部分には、第一ブラケット３０（例えば、前ブラケット）と第二ブラケット３２（例えば、後ブラケット）をそれぞれ配置し、これによりシャーシ２４の第一柱２６ａと第二柱２６ｂにそれぞれ取り付けられる。
【００２８】
図２に示す通り、各スライドレールアセンブリは、第二レール３４と第三レール３６をさらに有する。
第二レール３４には、搭載物２０を取り付ける。
第三レール３６は、第一レール２８と第二レール３４との間に可動するように取り付けられ、第二レール３４の第一レール２８に相対した可動距離を延長する。
さらに、シャーシシステムは、ケーブルマネージメントデバイス３７を有し、搭載物２０の後方に位置する。
具体的には、ケーブルマネージメントデバイス３７は第一アームセット及び第二アームセットを有する。
第一アームセットは、第一アーム３８ａ及び第二アーム３８ｂの２個のアームを有する。
第二アームセットは、第三アーム３８ｃ及び第四アーム３８ｄの２個のアームを有する。
好ましくは、ケーブルマネージメントデバイス３７は、第五アーム３８ｅなどのアームをさらに有する。
各アーム３８ａ、３８ｂ、３８ｃ、３８ｄ、３８ｅは、少なくとも１個のケーブルマネージメント部材３５を有する。
これらケーブルマネージメント部材３５は、槽或いは台体で、しかもこれらケーブルマネージメント部材３５は、搭載物２０の線材を整理できる。
この部分は領域において通常の知識を有する者が理解可能な技術範疇であるので、簡略化するため、説明を省く。
【００２９】
図３に示す通り、第一アームセットの第一アーム３８ａと第二アーム３８ｂとは相対して相互に可動する。
第二アームセットの第三アーム３８ｃと第四アーム３８ｄとは相対して相互に可動する。
第五アーム３８ｅは、第二アームセットに相対して可動する。
第二アームセットの第三アーム３８ｃは、第一アームセットの第二アーム３８ｂに接続し、これにより第三アーム３８ｃと第二アーム３８ｂとは相対して相互に可動する。
【００３０】
本実施形態において、これらアーム３８ａ、３８ｂ、３８ｃ、３８ｄ、３８ｅはすべて、位置が相対する２個の第一端部Ｅ１と第二端部Ｅ２などの２個の部位を有する。
しかも、これらアーム３８ａ、３８ｂ、３８ｃ、３８ｄ、３８ｅは、第一枢接パーツ４０、第二枢接パーツ４２、第三枢接パーツ４４及び第四枢接パーツ４６により、順番に相対して相互に枢接される。
【００３１】
具体的には、第一アームセットの第一アーム３８ａと第二アーム３８ｂの第一端部Ｅ１は、第一枢接パーツ４０により、相対して相互に枢接される。
例えば、第一アーム３８ａと第二アーム３８ｂとの間には、第一補助台４８を配置し、２個の第一枢接パーツ４０を枢接する。
第一アームセットの第二アーム３８ｂの第二端部Ｅ２と第二アームセットの第三アーム３８ｃの第二端部Ｅ２は、第二枢接パーツ４２により相対して相互に枢接される。
例えば、第二アーム３８ｂと第三アーム３８ｃとの間には、第二補助台５０を配置し、２個の第二枢接パーツ４２により枢接される。
第二アームセットの第三アーム３８ｃの第一端部Ｅ１と第二アームセットの第四アーム３８ｄの第一端部Ｅ１は、第三枢接パーツ４４により、相対して相互に枢接される。
例えば、第三アーム３８ｃと第四アーム３８ｄとの間には、第三補助台５２を配置し、２個の第三枢接パーツ４４により枢接される。
第二アームセットの第四アーム３８ｄの第二端部Ｅ２と第五アーム３８ｅの第二端部Ｅ２は、第四枢接パーツ４６により相対して相互に枢接される。
例えば、第四アーム３８ｄと第五アーム３８ｅとの間には、第四補助台５４を配置し、２個の第四枢接パーツ４６により枢接される。
こうして、これらアーム３８ａ、３８ｂ、３８ｃ、３８ｄ、３８ｅは相対して相互に可動する。
本実施形態において、アーム３８ａ、３８ｂ、３８ｃ、３８ｄ、３８ｅは、補助台４８、５０、５２、５４により相対して相互に枢接される。しかし、アーム３８ａ、３８ｂ、３８ｃ、３８ｄ、３８ｅは、枢接パーツにより相互に枢接することも可能であり補助台４８、５０、５２、５４は必須ではない。
【００３２】
図４に示す通り、第一アームセットの第一アーム３８ａの第二端部Ｅ２は、第一スライドレールアセンブリ２２の第一レール２８に接続される。
例えば、第一スライドレールアセンブリ２２に隣り合う第一レール２８の後端には、第一フィッティングパーツ５６を配置でき、第一アーム３８ａの第二端部Ｅ２は、第五枢接パーツ５８により、第一フィッティングパーツ５６に接続する。
一方、第五アーム３８ｅの第一端部Ｅ１は、搭載物２０に接続する。
例えば、搭載物２０に隣り合う後部には、第二フィッティングパーツ６０を配置する。
第五アーム３８ｅの第一端部Ｅ１は、第六枢接パーツ６２により、第二フィッティングパーツ６０に接続する。
【００３３】
好ましくは、ケーブルマネージメントデバイス３７は、サポーティングパーツ６４をさらに有し、これらアーム３８ａ、３８ｂ、３８ｃ、３８ｄの間を支持する。
サポーティングパーツ６４は、第一スライドレールアセンブリ２２或いは第二スライドレールアセンブリ２３のその内の一つの第三レール３６に取り付けられ、或いは各スライドレールアセンブリの第三レール３６に同時に取り付けられる。
例えば、サポーティングパーツ６４の両端は、各スライドレールアセンブリの第三レール３６にそれぞれ取り付けられる。
好ましくは、サポーティングパーツ６４の両端には、それぞれ取り付けパーツ６６を有する（この部分は図６参照）。
取り付けパーツ６６は、フックや釘などの取り付け部材６８により、取り外し可能なように、第三レール３６の後端に隣り合うサポーティング部６９に掛けて設置される。
本実施形態ではサポーティングパーツ６４は取り付けパーツ６６の取り付け部材６８により第三レール３６に取り付けられる。しかし、サポーティングパーツ６４は、螺合接続の方式により第三レール３６に接続することも可能であり、取り付けパーツ６６は必須ではない。
【００３４】
図５と図６に示す通り、第二アームセットの２個のアームのその内の一つ、例えば第三アーム３８ｃは、サポーティングパーツ６４の両端間に相対して枢接される。
例えば、ケーブルマネージメントデバイスは、コネクティング部材７０をさらに有する。
コネクティング部材７０は、２個の固定パーツ７２により、サポーティングパーツ６４の両端間に取り付けられ、しかも第三アーム３８ｃの第一端部Ｅ１と第二端部Ｅ２との間の一部位は、軸パーツ７４により、コネクティング部材７０に枢接される。
【００３５】
図７と図８に示す通り、各スライドレールアセンブリ、例えば第一スライドレールアセンブリ２２の第一レール２８は、嵌着解除部材７６を有する。
嵌着解除部材７６は、別の部品で、リベット接合、溶接或いは螺合接続等方式により、第一レール２８に接続される。
或いは、機械加工の方式により、第一レール２８に嵌着解除部材７６を成形することもでき、これにより嵌着解除部材７６は、特定の形状或いは構造を有する。
ここでは、嵌着解除部材７６は、斜面或いは弧面等構造であるガイド部７８を有する。
図９に示す通り、第一スライドレールアセンブリ２２は、レール固定パーツ８０をさらに有し、第三レール３６に取り付け、しかもレール固定パーツ８０は、固定部８２を有する。
一方、第二レール３４は、孔８４、及び孔８４に隣り合う係止部８６を有する。
レール固定パーツ８０の固定部８２は、係止部８６を固定できる。
【００３６】
図１０に示す通り、各スライドレールアセンブリ、例えば第一スライドレールアセンブリ２２は、取込み状態にある。
取込み状態下で、第一スライドレールアセンブリ２２の第二レール３４と第三レール３６は、第一レール２８に相対して、第一位置Ｐ１にある。
レール固定パーツ８０は、接触部８８をさらに有する。
しかも、接触部８８と固定部８２との間の一部位は、第三レール３６に枢接される。
好ましくは、弾性パーツ９０により、弾力をレール固定パーツ８０に提供し、しかも弾性パーツ９０は、弾力部９２を有し、接触部８８に作用する。
これにより、接触部８８は第一レール２８の向きを保持し、しかも固定部８２は、孔８４に進入し、第二レール３４の係止部８６の固定を保持する。
【００３７】
図１１と図１２に示す通り、第二レール３４と第三レール３６が第一レール２８に相対して、第一位置Ｐ１から第一方向Ｄ１、例えば、延伸方向へ可動したときも、レール固定パーツ８０の固定部８２により、第二レール３４の係止部８６は固定されている。
これにより、第二レール３４と第三レール３６とは、第一方向Ｄ１へと同期に可動し、第二レール３４と第三レール３６とが、第一方向Ｄ１へ向かい予定位置Ｌに接近するまで可動すると、レール固定パーツ８０の接触部８８は、第一レール２８の嵌着解除部材７６のガイド部７８に接触する。
これにより、レール固定パーツ８０は傾斜して、レール固定パーツ８０の固定部８２の、第二レール３４の係止部８６に対する固定を解除する。
すなわち、第三レール３６が第一レール２８に相対して第一方向Ｄ１へと予定位置Ｌまで可動すると、嵌着解除部材７６は、レール固定パーツ８０の第二レール３４の係止部８６に対する固定を解除し、これによりレール固定パーツ８０の固定部８２は、係止部８６から離脱する。
この状態下で、第三レール３６は、第二レール３４と同期に可動しなくなり、言い換えれば、第二レール３４は第三レール３６に相対して、さらに第一方向Ｄ１へと可動する。
【００３８】
図１３に示す通り、各スライドレールアセンブリ２２、２３は、取込み状態にある。
ケーブルマネージメントデバイス３７の第一アーム３８ａの第二端部Ｅ２は、第一スライドレールアセンブリ２２の第一レール２８の第一フィッティングパーツ５６に枢接され、しかもケーブルマネージメントデバイス３７の第五アーム３８ｅの第一端部Ｅ１は、搭載物２０の第二フィッティングパーツ６０に枢接される。
この他、サポーティングパーツ６４は、ケーブルマネージメントデバイス３７を支持する。
さらに、各スライドレールアセンブリ２２、２３は、取込み状態下にあり、搭載物２０の大部分は、シャーシ２４内に位置する。
一方、ケーブルマネージメントデバイス３７が第一状態にあり、例えばケーブルマネージメントデバイス３７のこれらアーム３８ａ、３８ｂ、３８ｃ、３８ｄ、３８ｅは、相互に取り込まれた状態を呈する。
【００３９】
図１３と図１４に示す通り、搭載物２０がシャーシ２４内から引き出されると、第二レール３４と第三レール３６とは第一レール２８に相対して第一位置Ｐ１から第一方向Ｄ１へ向かう。
例えば、延伸方向に可動すると、搭載物２０もまた第一方向Ｄ１に従い、シャーシ２４外へと移動する。
第二レール３４と第三レール３６とは、第一方向Ｄ１へと同期に可動し、予定位置Ｌに到達すると、第三レール３６は、第二レール３４と同期に可動しなくなる（第二レール３４と第三レール３６の同期及び同期関係解除の原理に関しては、図１０、図１１、図１２及びその関連説明を参照されたい。簡略化するため、説明を省く）。
【００４０】
具体的には、第二レール３４と第三レール３６とが第一方向Ｄ１へと可動する過程において、サポーティングパーツ６４は、第三レール３６の第一レール２８に相対しての可動に反応して移動する。
一方、ケーブルマネージメントデバイス３７は、第二レール３４の第一レール２８に相対しての第一位置Ｐ１から第一方向Ｄ１への可動に反応し、第一状態から徐々に第二状態を呈し、例えば、展開の状態を呈する。
さらに、第五アーム３８ｅは、第二レール３４（或いは搭載物２０）が第一レール２８に相対して第一位置Ｐ１から第一方向Ｄ１へと可動し連動される。
第三レール３６は、第二レール３４に従い同期に可動するため、第一アームセットの第一アーム３８ａと第二アーム３８ｂは先に展開し、第二レール３４と第三レール３６が予定位置Ｌに到達すると、第二レール３４と第三レール３６の同期可動関係は解除される。
【００４１】
図１５に示す通り、同期可動関係が解除されると、第二レール３４（或いは搭載物２０）は再び継続して、第三レール３６に相対し第一方向Ｄ１へと可動し、ケーブルマネージメントデバイス３７の第五アーム３８ｅを連動する。
第二アームセットの２個のアームのその内の一つの、例えば、第三アーム３８ｃは、サポーティングパーツ６４の両端間に相対して枢接されるため、第二アームセットの第三アーム３８ｃと第四アーム３８ｄとは、第五アーム３８ｅの可動に反応し、順番に展開する。
続いて、第一アームセットの第一アーム３８ａと第二アーム３８ｂを連動する。
第二レール３４が第一レール２８に相対して第二位置Ｐ２に到達すると、スライドレールアセンブリは、例えば、完全延伸状態を呈すると、ケーブルマネージメントデバイス３７は、第二状態へと連動される。
【００４２】
第二レール３４が第一レール２８に相対して第二位置Ｐ２から第二方向、例えば、取込み方向（第一方向Ｄ１に反対の方向）に向かい、取込み位置である第一位置Ｐ１まで可動すると、ケーブルマネージメントデバイス３７もこれに従い、第二状態から第一状態に戻る（この部分は図１３参照。簡略化するため、説明を省く）。
【００４３】
これから分かるように、従来の技術に比べ、多節以上（例えば、四節以上）を有するケーブルマネージメントアーム３８ａ、３８ｂ、３８ｃ、３８ｄ、３８ｅを有するため、本実施形態のケーブルマネージメントデバイス３７は、長めのスライドレールアセンブリの総延伸長さ（或いはオープン長さ）に対応でき、しかも第二レール３４と第三レール３６は、予定距離内で、同期可動の関係を有し、及び第二アームセットの２個のアーム３８ｃ、３８ｄのその内の一つは、サポーティングパーツ６４（の両端間）に相対して枢接される。
こうして、ケーブルマネージメントデバイス３７は、段階的に、或いは順番に、展開或いは取り込まれるため、この種の多節式のケーブルマネージメントデバイス３７は、安定的な展開或いは取込みの効果を備える。
【００４４】
（第二実施形態）
図１６に、本発明の第二実施形態を示す。
本第二実施形態と第一実施形態との差異は、おおよそ以下の通りである。
第一アームセットの第一アーム２００ａの第二端部Ｅ２は、シャーシの第二柱２０２に接続される。
例えば、第一アーム２００ａの第二端部Ｅ２は、第二柱２０２の第三フィッティングパーツ２０４に枢接される。
【００４５】
（第三実施形態）
図１７に、本発明の第三実施形態を示す。
第一実施形態の第五アーム３８ｅの第一端部Ｅ１が搭載物２０に接続するのとは異なり、第三実施形態のケーブルマネージメントデバイスの第五アーム３００ｅの第一端部Ｅ１は、スライドレールアセンブリ３０１の第二レール３０２に接続する。
例えば、第五アーム３００ｅの第一端部Ｅ１は、第二レール３０２の第四フィッティングパーツ３０４に枢接され、こうして同様にケーブルマネージメントデバイスは、第二レール３０２の第一レール３０６に相対した可動に反応し、第一状態から第二状態へと連動する。
【００４６】
前述した本発明の実施形態は本発明を限定するものではなく、よって、本発明により保護される範囲は特許請求の範囲を基準とする。
【符号の説明】
【００４７】
２０  搭載物
２２  第一スライドレールアセンブリ
２３  第二スライドレールアセンブリ
２４  シャーシ
２６ａ  第一柱
２６ｂ、２０２  第二柱
２８、３０６  第一レール
３０  第一ブラケット
３２  第二ブラケット
３４、３０２  第二レール
３５  ケーブルマネージメント部材
３６  第三レール
３７  ケーブルマネージメントデバイス
３８ａ、２００ａ  第一アーム
３８ｂ  第二アーム
３８ｃ  第三アーム
３８ｄ  第四アーム
３８ｅ、３００ｅ  第五アーム
４０  第一枢接パーツ
４２  第二枢接パーツ
４４  第三枢接パーツ
４６  第四枢接パーツ
４８  第一補助台
５０  第二補助台
５２  第三補助台
５４  第四補助台
５６  第一フィッティングパーツ
５８  第五枢接パーツ
６０  第二フィッティングパーツ
６２  第六枢接パーツ
６４  サポーティングパーツ
６６  取り付けパーツ
６８  接続部材
６９  サポーティング部
７０  コネクティング部材
７２  固定パーツ
７４  軸パーツ
７６  嵌着解除部材
７８  ガイド部
８０  レール固定パーツ
８２  固定部
８４  孔
８６  係止部
８８  接触部
９０  弾性パーツ
９２  弾力部
２０４  第三フィッティングパーツ
３０１  スライドレールアセンブリ
３０４  第四フィッティングパーツ
Ｄ１  第一方向
Ｅ１  第一端部
Ｅ２  第二端部
Ｌ  予定位置
Ｐ１  第一位置
Ｐ２  第二位置
【図１】
2018026523.tif 000003
【図２】
2018026523.tif 000004
【図３】
2018026523.tif 000005
【図４】
2018026523.tif 000006
【図５】
2018026523.tif 000007
【図６】
2018026523.tif 000008
【図７】
2018026523.tif 000009
【図８】
2018026523.tif 000010
【図９】
2018026523.tif 000011
【図１０】
2018026523.tif 000012
【図１１】
2018026523.tif 000013
【図１２】
2018026523.tif 000014
【図１３】
2018026523.tif 000015
【図１４】
2018026523.tif 000016
【図１５】
2018026523.tif 000017
【図１６】
2018026523.tif 000018
【図１７】
2018026523.tif 000019